(57)【特許請求の範囲】
【請求項１】
マウスピース本体と飛沫ガードとを含んでなり、
前記マウスピース本体は、
内視鏡を挿通する、筒形状の本体筒部と、
前記本体筒部の外周部に設けられ、該本体筒部の外周方向に鍔状に延出する部材であって、該部材の使用者側の面が該使用者の口唇に当接して該本体筒部が該使用者の口中の奥側に移動することを規制する規制部と、を備え、
前記飛沫ガードは、
前記内視鏡を挿通する筒形状を成し、該筒形状の一方の端部の開口が前記本体筒部の前記使用者の口中に挿入されない側の端部の開口と連通するガード筒部と、
前記ガード筒部の内周部に該ガード筒部の内側を塞ぐように設けられた薄板状又は膜状の仕切部と、
前記ガード筒部の外周部に設けられ、該ガード筒部の外周方向に鍔状に広がるフランジ部と、を備え、
前記仕切部は、前記内視鏡の挿通方向に開閉自在に設けられた弁部を有し、
前記弁部は、弾性を有する材料で形成され、該弁部の中央部から放射状に延びる複数の線分状のスリットが設けられており、
前記内視鏡が挿通する際に該内視鏡の挿通方向に押しのけられて屈曲して生じる復元力より該内視鏡を摺動自在に保持するとともに、
前記弁部の前記スリットの端部における厚さは、該弁部の中央部における厚さよりも厚く、
前記弁部の前記使用者の口中に挿入されない側の面は、該弁部の中央部から前記スリットの端部にかけて、該弁部の中央部を中心として同心円状かつ階段状に厚くなっている構造であり、
前記階段状に厚くなっている構造の裏面の、前記階段状に厚くなっている構造の段差の位置に対応した位置に、前記弁部の中央部を中心として同心円状のリブが形成されており、
前記リブは、前記弁部の該リブの設けられた部分の厚みが増すように前記内視鏡の挿通方向に盛り上がった形状に形成されている
ことを特徴とする内視鏡用マウスピース。
【請求項２】
前記同心円状かつ階段状に厚くなっている構造は、前記スリットの端部と前記弁部の中央部との間に設けられた第１の階段構造及び、該第１の階段構造と前記スリットの端部との間に設けられた第２の階段構造を含んでなり、
前記第１の階段構造の前記段差が形成する円の直径の長さは、挿通される第１の太さの内視鏡の直径の長さに対応しており、
前記第２の階段構造の前記段差が形成する円の直径は、前記第１の太さの内視鏡よりも太い第２の内視鏡の直径の長さに対応している
ことを特徴とする請求項１に記載の内視鏡用マウスピース。
【請求項３】
前記フランジ部は、前記使用者の正面側から見たときに該使用者の口唇の全面を覆うように前記内視鏡の挿通方向に垂直な方向に面状に広がった平面形状をなしている
ことを特徴とする請求項１又は２に記載の内視鏡用マウスピース。
【発明の詳細な説明】
【技術分野】
【０００１】
本発明は内視鏡用マウスピースに関する。
【背景技術】
【０００２】
近年、医療用内視鏡関連技術の進歩により、人体における消化器系の疾患を中心に、患部を直接確認、検査、処置等ができるようになっており、医療行為における内視鏡の登場機会は増加している。
【０００３】
一方、昨今の感染症に対する対策を強化する必要性が高まっている中で、医療行為中において、患者の口などから治療に当たる医師などへの唾液などの飛沫の飛散を抑えることが、感染予防の観点からますます重要となってきている。
【０００４】
特許文献１には、口内撮影補助具において、口内撮影補助具の端部に形成した鍔部によって、患者の口からユーザへの飛沫の飛散を抑制し、医師などのユーザへのインフルエンザの二次感染のリスクを低減することができる、旨の開示がある。
【先行技術文献】
【特許文献】
【０００５】
【特許文献１】特開２０２１−４０６６６号公報
【発明の概要】
【発明が解決しようとする課題】
【０００６】
しかしながら、特許文献１に記載の口内撮影補助具の形状では、十分に患者の口から医師などのユーザへの飛沫の飛散を抑制することは困難であり、より有効な内視鏡関連器具の開発が求められている。
【０００７】
本発明は、上記の課題に鑑み、内視鏡を用いた診察等において、例えば患者が咳き込んだときに医師等への患者からの飛沫の飛散を抑制するための内視鏡用マウスピースを提案する。
【課題を解決するための手段】
【０００８】
上記の課題を解決するために、本発明の内視鏡用マウスピースは、
マウスピース本体と飛沫ガードとを含んでなり、
前記マウスピース本体は、
内視鏡を挿通する、筒形状の本体筒部と、
前記本体筒部の外周部に設けられ、該本体筒部の外周方向に鍔状に延出する部材であって、該部材の使用者側の面が該使用者の口唇に当接して該本体筒部が該使用者の口中の奥側に移動することを規制する規制部と、を備え、
前記飛沫ガードは、
前記内視鏡を挿通する筒形状を成し、該筒形状の一方の端部の開口が前記本体筒部の前記使用者の口中に挿入されない側の端部の開口と連通するガード筒部と、
前記ガード筒部の内周部に該ガード筒部の内側を塞ぐように設けられた薄板状又は膜状の仕切部と、
前記ガード筒部の外周部に設けられ、該ガード筒部の外周方向に鍔状に広がるフランジ部と、を備え、
前記仕切部は、前記内視鏡の挿通方向に開閉自在に設けられた弁部を有し、
前記弁部は、弾性を有する材料で形成され、該弁部の中央部から放射状に延びる複数の線分状のスリットが設けられており、
前記内視鏡が挿通する際に該内視鏡の挿通方向に押しのけられて屈曲して生じる復元力より該内視鏡を摺動自在に保持するとともに、
前記弁部の前記スリットの端部における厚さは、該弁部の中央部における厚さよりも厚く、
前記弁部の前記使用者の口中に挿入されない側の面は、該弁部の中央部から前記スリットの端部にかけて、該弁部の中央部を中心として同心円状かつ階段状に厚くなっている構造であり、
前記階段状に厚くなっている構造の裏面の、前記階段状に厚くなっている構造の段差の位置に対応した位置に、前記弁部の中央部を中心として同心円状のリブが形成されており、
前記リブは、前記弁部の該リブの設けられた部分の厚みが増すように前記内視鏡の挿通方向に盛り上がった形状に形成されている
ことを特徴とする。
【０００９】
このような構成とすることにより、内視鏡を内視鏡用マウスピースに挿入した際に、内視鏡のチューブを弁部が保持しつつ、使用者の口中から本体筒部を通って外部に向かう通気を制限し、またフランジ部が使用者の口中から内視鏡用マウスピース外を通って医師等に向かう通気を制限するので、使用者である患者が咳き込んだときなどに医師等への患者からの飛沫の飛散を抑制することができる。
【００１１】
また、薄板状又は膜状の仕切部に設けられた弁部が、上記のスリットによって複数に分離されていることで、内視鏡が内視鏡用マウスピースの弁部の中央にスムーズに挿入される。
【００１４】
そして、弁部の前記スリットの端部における厚さは、該弁部の中央部における厚さよりも厚く、弁部の前記使用者の口中に挿入されない側の面は、該弁部の中央部から前記スリットの端部にかけて、階段状に厚くなっている構造であり、前記階段状に厚くなっている構造は、前記弁部の中央部を中心として同心円状に形成されている。
【００１５】
このような構成とすることにより、分離された弁部の中央部（先端部）の剛性が小さくなるので、太さの異なる内視鏡を用いても、内視鏡が内視鏡用マウスピースの弁部に挿入された際に、弁部の中央部が内視鏡のチューブに良好に密着して、患者からの飛沫の飛散を効果的に抑制することができる。
【００１６】
また、前記階段状に厚くなっている構造の裏面の、前記階段状に厚くなっている構造の段差の位置に対応した位置に、前記弁部の中央部を中心として同心円状のリブが形成されており、前記リブは、前記弁部の該リブの設けられた部分の厚みが増すように前記内視鏡の挿通方向に盛り上がった形状に形成されている。
【００１７】
このような構成とすることにより、上記の階段状に厚くなっている構造を有する弁部の表面が内視鏡のチューブに密着する際に、分離された弁部の特に中央部（先端部）が内視鏡のチューブから離間する方向に屈曲することを防ぐことができるので、患者からの飛沫の飛散を効果的に抑制することができる。
また、本発明の内視鏡用マウスピースにおいて、
前記同心円状かつ階段状に厚くなっている構造は、前記スリットの端部と前記弁部の中央部との間に設けられた第１の階段構造及び、該第１の階段構造と前記スリットの端部との間に設けられた第２の階段構造を含んでなり、
前記第１の階段構造の前記段差が形成する円の直径の長さは、挿通される第１の太さの内視鏡の直径の長さに対応しており、
前記第２の階段構造の前記段差が形成する円の直径は、前記第１の太さの内視鏡よりも太い第２の内視鏡の直径の長さに対応している
ことが好ましい。
このような構成とすることにより、太さの異なる内視鏡を用いた場合において、内視鏡のチューブ外周と弁部とがより良好に密着するので、患者からの飛沫の飛散をより効果的に抑制することができる。
そして、本発明の内視鏡用マウスピースにおいて、
前記フランジ部は、前記使用者の正面側から見たときに該使用者の口唇の全面を覆うように前記内視鏡の挿通方向に垂直な方向に面状に広がった平面形状をなしている
ことが好ましい。
このような構成とすることにより、フランジ部が使用者の口中から内視鏡用マウスピース外を通って医師等に向かう通気を効果的に制限するので、医師等への患者からの飛沫の飛散を更に効果的に抑制することができる。
【図面の簡単な説明】
【００１８】
【図１】使用者が本発明の内視鏡用マウスピースを装着した様子を示す図である。
【図２】使用者が本発明の内視鏡用マウスピースを装着した様子を示す図である。
【図３】本発明の内視鏡用マウスピースの斜視図である。
【図４】本発明の内視鏡用マウスピースの弁部の構造の説明図（平面図）である。
【図５】本発明の内視鏡用マウスピースの弁部の構造の説明図（断面図）である。
【図６】本発明の内視鏡用マウスピースに内視鏡が挿入された状態を示す図である。
【図７】本発明の内視鏡用マウスピースに内視鏡が挿入された状態を示す図である。
【発明を実施するための形態】
【００１９】
以下、各図面を参照して本発明の内視鏡用マウスピースの実施例について説明するが、本発明の範囲はこれらの実施例に限定されるものではない。
【実施例】
【００２０】
図１は、使用者１０が本実施態様に関わる内視鏡用マウスピース１を装着した様子を示す図である。使用者１０については鼻から喉にかけての側方断面図を示しており、内視鏡用マウスピース１についても、縦方向の断面図となる。
【００２１】
図１に示すように、内視鏡用マウスピース１はマウスピース本体１００と飛沫ガード２００とを含んでなり、マウスピース本体１００は、図示しない内視鏡を挿通する筒形状の本体筒部１１０と、本体筒部１１０の外周部に設けられ、本体筒部１１０の外周方向に鍔状に延出する部材であって、該部材の使用者１０側の面が使用者１０の口唇１１（１１Ａ、１１Ｂ）に当接して本体筒部１１０が使用者１０の口中の奥側１３に移動することを規制する規制部１２０とを備えている。
【００２２】
また、飛沫ガード２００は、内視鏡を挿通する筒形状を成し、該筒形状の一方の端部の開口２１１が本体筒部１１０の使用者１０の口中に挿入されない側１５の端部の開口１１１と連通するガード筒部２１０と、ガード筒部２１０の内周部に該ガード筒部２１０の内側を塞ぐように設けられた薄板状又は膜状の仕切部２２０と、ガード筒部２１０の外周部に設けられ、ガード筒部２１０の外周方向に鍔状に広がるフランジ部２３０とを備えている。
【００２３】
使用者１０が内視鏡用マウスピース１を装着する際には、使用者１０は上下の歯列１７Ａ、１７Ｂによって本体筒部１１０を噛み付け、上下の口唇１１Ａ、１１Ｂが本体筒部１１０と規制部１２０とに接触した状態で内視鏡用マウスピース１を保持する。
【００２４】
また、本実施態様では、本体筒部１１０の使用者１０の口中の奥側１３の一部には、舌押さえ部１３０が延設されており、この舌押さえ部１３０を使用者１０の舌１９に接触させることで、スムーズな内視鏡の挿通を促している。
【００２５】
図２も、使用者１０が本実施態様に関わる内視鏡用マウスピース１を装着した様子を示す図である。ここでは、使用者１０がベッドなどの上に横たわり、顔を横に向けて内視鏡用マウスピース１を装着している様子を示しており、飛沫ガード２００のみが見えている。
【００２６】
図２に示すように、飛沫ガード２００の仕切部２２０は、図示しない内視鏡の挿通方向に開閉自在に設けられた弁部２２１を有しており、弁部２２１は、内視鏡が挿通する際に内視鏡の挿通方向に押しのけられて屈曲して生じる復元力より内視鏡を摺動自在に保持する構成となっている。
【００２７】
また、本実施態様では、内視鏡用マウスピース１は、規制部１２０の両端に設けられたフック（後述）によってストラップに接続されており、このストラップによって内視鏡用マウスピース１が使用者１０から外れることを防止している。
【００２８】
さらに、フランジ部２３０は使用者１０からの飛沫の飛散を更に効果的に抑制することができるように、使用者１０の口角の形状に対応した形状となっている。より具体的には、図２に示すように、内視鏡用マウスピース１を装着した使用者１０の顔を正面方向から見たときに、使用者１０の左右の口角がフランジ部２３０に覆われた状態となるのに十分な上下左右方向の長さを有している。
【００２９】
図３は本実施態様の内視鏡用マウスピース１の斜視図である。
【００３０】
既述のように、マウスピース本体１００は本体筒部１１０と規制部１２０と舌押さえ部１３０とを備えており、一体的に形成されている。本実施態様では規制部１２０の両端にはストラップ用フック１２１が設けられている。
【００３１】
また、飛沫ガード２００はガード筒部２１０と薄板状又は膜状の仕切部２２０とガード筒部２１０の外周方向に鍔状に広がるフランジ部２３０とを備えており、一体的に形成されている。そして、仕切部２２０の中央には弁部２２１を有している。
【００３２】
このような構成となっているので、内視鏡を内視鏡用マウスピース１に挿入した際に、内視鏡のチューブを弁部２２１が保持しつつ、使用者の口中から本体筒部１１０を通って外部に向かう通気を制限し、またフランジ部２３０が使用者の口中から内視鏡用マウスピース１外を通って医師等に向かう通気を制限するので、使用者である患者が咳き込んだときなどに医師等への患者からの飛沫の飛散を抑制することができる。
【００３３】
マウスピース本体１００はプラスチック製であることが好ましく、上記のように使用者が噛み付けたり、使用者の舌の動きを規制したりする必要があるので、ある程度の強度を有しつつ柔軟性も求められる。
【００３４】
マウスピース本体１００に用いられるプラスチックとしては、その引張あるいは曲げ弾性率が５００〜３０００ＭＰａ程度であることが好ましい。具体的には、高密度ポリエチレン、ポリプロピレン、ポリカーボネート、ＰＭＭＡ、ＡＢＳ樹脂、ポリフッ化ビニリデン、ポリ三フッ化エチレン、各種ポリアミドなどを挙げることができる。
【００３５】
飛沫ガード２００もプラスチック製であることが好ましく、軟質のプラスチックであることがより好ましい。
【００３６】
飛沫ガード２００はマウスピース本体１００と係合する必要性、およびフランジ部２３０に十分な柔軟性を要することから、その引張あるいは曲げ弾性率が５〜３００ＭＰａ程度であることが好ましい。具体的には、各種の熱可塑性エラストマーが好ましく用いられ、ポリスチレン系、ポリオレフィン系、ポリ塩化ビニル系、ポリウレタン系、ポリエステル系、ポリアミド系などいずれの材料でも構わない。また、熱硬化性のシリコーン系あるいはフッ素系の材料なども適用可能である。
【００３７】
マウスピース本体１００および飛沫ガード２００は、それぞれ射出成形法によって製造できるので、量産性に優れ、安価に供給可能である。また、本実施態様では、内視鏡の挿通方向に垂直な方向の飛沫ガード２００の面積はマウスピース本体１００の面積よりも大きく設定されている。
【００３８】
図４は、本実施態様の内視鏡用マウスピースの弁部の構造の説明図（平面図）である。ここで、左の図は飛沫ガード２００を図３の上側から見た図であり、右の図は飛沫ガード２００のみについて図３の下側から見た図である。
【００３９】
図４に示すように、薄板状又は膜状の仕切部２２０の中央には、弾性を有する材料で形成され内視鏡の挿通方向に開閉自在に設けられた弁部２２１を有し、弁部２２１には中央部２２２から放射状に延びる複数の線分状のスリット２２３が設けられている。
【００４０】
ここでは４本のスリット２２３が十字状に設けられることで４か所のスリット２２３の端部２２４が生じているが、スリット２２３は３本以上の他の本数としてもよい。
【００４１】
このように、薄板状又は膜状の仕切部に設けられた弁部２２１が、上記のスリット２２３によって複数に分離されていることで、内視鏡が内視鏡用マウスピース１の弁部２２１の中央にスムーズに挿入される。
【００４２】
なお、このスリット２２３は、飛沫ガード２００の射出成形時に形成しても良いが、連続膜として弁部２２１を形成した後に機械加工等によって形成した方が、寸法が高精度で断面が平滑なスリット２２３を得ることができる。
【００４３】
図５は、本実施態様の内視鏡用マウスピースの弁部２２１の構造の詳細を示す説明図（断面図）である。ここでは、飛沫ガード２００を２本のスリット２２３、および内視鏡の挿通方向Ｄ１を含む面にて切断し、その垂直方向から飛沫ガード２００を眺めた様子を示している。
【００４４】
図５下の拡大図に示すように、弁部２２１のスリット２２３の端部２２４近傍の厚さは、弁部２２１の中央部２２２の厚さよりも厚くなっている。この実施態様では、弁部２２１のスリット２２３の端部２２４近傍の厚さは０．４ｍｍ、弁部２２１の中央部２２２の厚さは０．３ｍｍとしている。
【００４５】
このような構成とすることにより、内視鏡が内視鏡用マウスピース１の弁部２２１に挿入された際に、分離された弁部２２１の中央部（先端部）２２２の剛性が小さくなるので、弁部２２１の中央部２２２が内視鏡のチューブに良好に密着して、患者からの飛沫の飛散をより効果的に抑制することができる。
【００４６】
また、弁部２２１の上面、すなわち使用者の口中に挿入されない側の面は、弁部２２１の中央部２２２からスリット２２３の端部２２４近傍にかけて、階段状に厚くなっている構造２２５となっており、この階段状に厚くなっている構造２２５は、弁部２２１の中央部２２２を中心として同心円状に形成されている。この実施態様では、同心円状の階段状に厚くなっている構造２２５は２か所に形成され、その外周側がスリット２２３の端部２２４に形成されているので、スリット２２３によって複数に分離された弁部２２１にはそれぞれ、内周側と外周側の２つの区域が生じる。
【００４７】
このような構成とすることにより、太さの異なる内視鏡を用いても、内視鏡のチューブと弁部２２１とが良好に密着し、患者からの飛沫の飛散をより効果的に抑制することができる。
【００４８】
さらに、この階段状に厚くなっている構造２２５の裏面の、階段状に厚くなっている構造２２５の段差の位置に対応した部分には、弁部２２１の中央部２２２を中心として同心円状のリブ２２６が形成されている。この実施態様では、同心円状の階段状に厚くなっている構造２２５は２か所に形成されているので、同心円状のリブ２２６も２か所（２重）に形成されている。このリブ２２６の大きさは、その断面形状にて、幅が０．４ｍｍ、高さが０．１ｍｍである。
【００４９】
このような構成とすることにより、上記の階段状に厚くなっている構造２２５を有する弁部２２１の表面が内視鏡のチューブに密着する際に、分離された弁部２２１の特に中央部（先端部）２２２が内視鏡のチューブから離間する方向に屈曲することを防ぐことができるので、患者からの飛沫の飛散を更に効果的に抑制することができる。
【００５０】
図６および図７は、本実施態様の内視鏡用マウスピース１に内視鏡２が挿入された状態を示す図である。
【００５１】
図６では、比較的チューブ径の小さい内視鏡２を仕切部２２０の中央にＤ１の方向に挿入したときの様子を示している。
【００５２】
この場合、弁部２２１の内周側全体が潤滑用のグリースを介して内視鏡２のチューブの外周に接触しており、弁部２２１により内視鏡２は摺動自在に保持されている。ここで、内周側のリブ２２６は、弁部２２１の中央部（先端部）が内視鏡２のチューブから離間する方向に屈曲することを防いでいる。
【００５３】
なお、内視鏡２を操作する際に、内視鏡２がＤ１方向およびその反対方向に移動することがあるが、その場合も上記の弁部２２１と内視鏡２との接触状態は基本的に変化しない。
【００５４】
図７では、比較的チューブ径の大きい内視鏡２を仕切部２２０の中央にＤ１の方向に挿入したときの様子を示している。
【００５５】
この場合、弁部２２１の外周側が潤滑用のグリースを介して内視鏡２のチューブの外周に接触しており、弁部２２１により内視鏡２は摺動自在に保持されている。ここで、外周側のリブ２２６は、弁部２２１の外周部の下端が内視鏡２のチューブから離間する方向に屈曲することを防いでいる。
【００５６】
（実験例）
本発明の内視鏡用マウスピースの飛沫飛散抑制効果を確認するために以下の実験を行った。
【００５７】
図２に示した状態において、使用者１０に代えて人体が発する程度の噴霧量を発生可能な噴霧器をセットし、
（１）内視鏡を挿入した本発明の内視鏡用マウスピースをセットした場合
（２）更に、内視鏡用マウスピースの上にフェイスシールドをセットした場合
（３）内視鏡を挿入した従来の内視鏡用マウスピースをセットした場合
について、飛沫の飛散量（飛沫面積）を観測した。
【００５８】
ここで、噴霧器による噴霧は、噴霧圧力：０．０８ＭＰａ、噴霧時間：０．２秒、噴霧速度：１０．７ｍ／秒、噴霧水量：７５．４ｍｇとした。そして、噴霧器から内視鏡用マウスピースなどを介して漏れる飛沫面積は、暗幕を背景として飛散飛沫に対してポラリオンライトを用いて光を照射し、その反射光をカメラ撮影することで求めた。
【００５９】
また、本発明の内視鏡用マウスピースとしては、マウスピース本体はポリプロピレン製、飛沫ガードは熱可塑性樹脂系のエラストマーを用い、飛沫ガードのフランジ部の平面図に外接する長方形の長辺は８６ｍｍ、同短辺は５２ｍｍ、フランジ部の厚さは１．５ｍｍ、スリットの長さはそれぞれ６ｍｍとした（図４参照）。そして、内視鏡としては、チューブの外径が１０ｍｍのもの（φ１０）および５ｍｍのもの（φ５）を用いた。
【００６０】
内視鏡用マウスピースなどが全くない場合の飛沫面積を１００％とした場合、φ１０の内視鏡では、（１）０．１％  （２）０．１％  （３）１３％、また、φ５の内視鏡では、（１）０．１％  （２）０．１％  （３）１７．５％となった。
【００６１】
このことから、本発明の内視鏡用マウスピースが使用者からの飛沫の飛散を十分に抑制する効果を有することが確認された。
【００６２】
以上説明したように、本発明によれば、内視鏡を内視鏡用マウスピースに挿入した際に、内視鏡のチューブを弁部が保持しつつ、使用者の口中から本体筒部を通って外部に向かう通気を制限し、またフランジ部が使用者の口中から内視鏡用マウスピース外を通って医師等に向かう通気を制限するので、使用者である患者が咳き込んだときなどに医師等への患者からの飛沫の飛散を抑制することができる。
【００６３】
以上、本発明の実施形態について説明したが、これに限定されない。本発明の趣旨を逸脱しない範囲で、種々の変更が可能である。
【００６４】
例えば、飛沫ガード２００において、仕切部２２０は飛沫ガード２００と一体に形成したが、仕切部２２０に代えて、同様の機能を有する取り換え可能なユニットを使用しても良い。
【００６５】
また、上記の実施態様では、仕切部２２０は比較的使用者の口中の奥側１３に設けたが、より使用者の口中に挿入されない側１５、すなわちフランジ部２３０に近い位置に設けても良い。
【符号の説明】
【００６６】
１  内視鏡用マウスピース、２  内視鏡、１０  使用者、１１Ａ  上口唇、１１Ｂ  下口唇、１７Ａ  上歯列、１７Ｂ  下歯列、１９  舌、１００  マウスピース本体、１１０  本体筒部、１２０  規制部、１２１  ストラップ用フック、１３０  舌押さえ部、２００  飛沫ガード、２１０  ガード筒部、２２０  仕切部、２２１  弁部、２２３  スリット、２２６  リブ。
【要約】
【課題】内視鏡を用いた診察等において、例えば患者が咳き込んだときに医師等への患者からの飛沫の飛散を抑制する必要がある。
【解決手段】マウスピース本体と飛沫ガードとを含んでなり、マウスピース本体は、内視鏡を挿通する筒形状の本体筒部と、使用者の口中の奥側に移動することを規制する規制部とを備え、飛沫ガードは、内視鏡を挿通する筒形状を成すガード筒部と、ガード筒部に設けられた薄板状又は膜状の仕切部と、ガード筒部の外周方向に鍔状に広がるフランジ部と、を備え、仕切部は、内視鏡の挿通方向に開閉自在に設けられた弁部を有し、弁部は内視鏡を摺動自在に保持する内視鏡用マウスピース。
【選択図】図５【図１】
0006955806.tif 000002
【図２】
0006955806.tif 000003
【図３】
0006955806.tif 000004
【図４】
0006955806.tif 000005
【図５】
0006955806.tif 000006
【図６】
0006955806.tif 000007
【図７】
0006955806.tif 000008